(57)【要約】【課題】  検査装置の被検査対象を切替設定するための切替手段での切替設定が誤って設定された場合における検査装置の不具合の発生を防止する。【解決手段】  複数の異なる機種の被検査対象を検査することが可能で、被検査対象の機種に対応して内部回路構成を切り替えるための切替手段ＪＰ１〜ＪＰ５を備える検査装置であって、切替手段の切替設定状態を検出し、検出した切替設定状態の適否を判定して検査端末ＴＴに対する電源ＰＷからの電圧供給を正義し、検査端末ＴＴでの検査を許可又は停止を制御する制御手段ＰＣを備える。制御手段は検査装置の切替手段の切替設定が正しい場合にのみ検査端末ＴＴでの検査を許可するので、切替手段の設定が誤った状態で検査装置が動作することはない。【選択図】  図２
2005308466.tif 000002
【特許請求の範囲】
【請求項１】
複数の異なる機種の被検査対象を検査することが可能で、前記被検査対象の機種に対応して内部回路構成を切り替えるための切替手段を備える検査装置であって、前記切替手段の切替設定状態を検出し、検出した切替設定状態の適否を判定して前記検査装置での検査を許可又は停止を制御する制御手段を備えることを特徴とする検査装置。
【請求項２】
前記切替手段は切替設定状態の検出信号を前記制御手段に出力し、前記制御手段は前記検出信号に基づいて前記切替手段の切替設定状態を検出することを特徴とする請求項１に記載の検査装置。
【請求項３】
前記切替手段はそれぞれ独立して切り替えられる複数の切替手段で構成され、これら複数の切替手段からそれぞれ出力される前記検出信号を組み合わせてコード化した信号を前記制御手段に出力することを特徴とする請求項２に記載の検査装置。
【請求項４】
前記検査装置は検査を実行する検査端末と、前記制御手段としてのコンピュータと、電源と、前記コンピュータ及び電源と前記検査端末との間に介在されて前記切替手段が設けられたインターフェース部とで構成され、前記コンピュータには前記検査端末での検査を行う機種が設定され、前記コンピュータは前記インターフェース部の前記切替手段からの切替設定状態の検出信号に基づいて当該切替手段の設定が前記設定された機種に対応するか否かを判定し、切替手段の設定が適切なときに前記検査を許可し、適切でないときに前記検査を停止することを特徴とする請求項１ないし３のいずれかに記載の検査装置。
【請求項５】
前記インターフェース部に前記電源と前記検査端末とを接続する電源回路をオン・オフするスイッチ手段を設け、前記コンピュータにより前記スイッチ手段を制御して前記検査端末における検査の許可又は停止を行うことを特徴とする請求項４に記載の検査装置。
【請求項６】
前記切替手段は、前記検査装置に接続される回路を切り替える回路切替部と、前記回路切替部に連動して当該回路切替部の切替設定状態を検出した検出信号を出力する設定検出部とを備えることを特徴とする請求項１ないし５のいずれかに記載の検査装置。
【請求項７】
前記設定検出部は、前記回路切替部の切り替えに伴って高レベル電位と低レベル電位を選択して出力する構成であることを特徴とする請求項６に記載の検査装置。
【請求項８】
前記切替手段は二連の双極端子を備え、これら二連の双極端子の短絡状態を同時に切り替えるジャンパーで構成され、前記一方の双極端子を前記回路切替部として構成し、他方の双極端子を前記設定検出部として構成していることを特徴とする請求項７に記載の検査装置。
【請求項９】
前記検査装置はカメラのレンズを検査する検査装置であり、前記検査装置の各部に供給する電源回路や信号回路をそれぞれ切り替える切替手段を備えることを特徴とする請求項１ないし８のいずれかに記載の検査装置。
【発明の詳細な説明】
【技術分野】
【０００１】
本発明はカメラやレンズ等の製品を検査するための検査装置に関し、特に多機種の製品を検査する汎用型の検査装置に関するものである。
【背景技術】
【０００２】
カメラやレンズのように異なる多数の機種が存在する製品を製造ライン等において検査する場合には、機種毎にそれぞれ専用の検査装置を設備することが好ましいが、これでは機種数に対応した多数の検査装置が必要であり設備コストが高価になるとともに検査装置を設備するスペースを確保しなければならず実現することは難しい。そのため、異なる機種の検査が可能な汎用型の検査装置を設け、検査対象の機種に対応して検査装置の設定を切り替えることが行われている。例えば、一般的なカメラ用のレンズの検査装置の場合には、図１に概念構成を示すように、検査端末ＴＴと、パソコンＰＣと、電源ＰＷと、これら検査端末ＴＴとパソコンＰＣと電源ＰＷとを相互に接続するインターフェースＩ／Ｆとで構成される。検査端末ＴＴは、ここでは詳細は省略するが、被検査対象であるレンズＬＥＮＳをセットし、当該レンズでテストパターンをＣＣＤ等の撮像素子に結像し、その結像したテストパターン画像を取り込んでいる。パソコンＰＣは検査端末ＴＴで取り込んだテストパターン画像を所要の検査プログラムに基づいて画像処理することで、テストパターン画像が規格を満たしているか否かを判定し、その判定結果からレンズの良・不良を検査するものである。
【０００３】
また、インターフェースＩ／Ｆは、検査端末ＴＴにおいて検査するレンズの機種に対応して、電源ＰＷから検査端末ＴＴ内の各回路や素子に供給する電圧を切り替える機能や、検査端末ＴＴから出力されてくるテストパターン画像をパソコンＰＣにおいて検査する際の水平同期や垂直同期を取るための信号を切り替える機能を備えている。そのため、インターフェースＩ／Ｆにはこれらの電圧や信号の切り替えを行うための切替手段として切替スイッチを配設しており、検査するレンズの機種を確認しながら検査者がこれらの切替スイッチを切り替え設定している。なお、切替スイッチの代わりにジャンパー設定を変更して電圧や信号を切り替える構成も提案されている。例えば、特許文献１にはジャンパー設定を変更することによってＰＣ等のＣＰＵでの機能を切り替える技術が記載されており、この特許文献１の技術を前記したように検査装置のＩ／Ｆ部に適用すれば、Ｉ／Ｆ部においてジャンパー設定を変更するだけで検査端末に対して適正な電圧や信号を供給することができるようになる。
【特許文献１】特開平７−２５３５８８号公報
【発明の開示】
【発明が解決しようとする課題】
【０００４】
このような汎用型の検査装置では、インターフェースＩ／Ｆにおいて切替スイッチを切り替えたりジャンパー設定を変更することにより検査装置に供給する電圧や信号を切り替えることができ、検査端末ＴＴを検査するレンズＬＥＮＳの機種に対応した適正な状態に設定し、パソコンＰＣとの整合性をとって適正な検査を実現することは可能である。しかしながら、これら切替スイッチやジャンパー等による切替設定の変更は検査者が手作業で行っているため、切替設定変更を誤った場合には検査端末ＴＴ内の各回路や素子には適正でない電圧や信号が供給されてしまい、これらの回路や素子が破壊されてしまうことがある。また、同時に検査端末ＴＴからパソコンＰＣに異常な信号が出力されてしまい、パソコンＰＣでの検査プログラムに基づく検査動作に異常が生じてパソコンＰＣが暴走し、著しい場合には当該検査プログラムが破壊されてしまうこともある。そのため、インターフェースＩ／Ｆにおける切替スイッチやジャンパーにおける切替設定の変更には細心の注意をはらう必要があり、検査時に検査者に要求される負担が大きなものになる一方で、切替設定のミスを確実に防止することが難しいという問題がある。
【０００５】
このような問題に対しては、検査対象となるレンズの機種を設定するだけで切替スイッチを適切に切り替え設定することを可能にしたインターフェースを構成することが提案されており、このように構成したインターフェースによれば、切替スイッチの切替設定ミスを低減ないし防止することは可能になる。しかしながら、これらの切り替えを制御するパソコンにおいてパソコン自体の暴走等が生じた場合には、適切な適切な切り替え設定ができなくなり、検査端末の回路や素子が破壊されてしまうおそれが生じる。
【０００６】
本発明の目的は、切替手段での切替設定変更が適正に行われた場合にのみ検査を許可することで、かかる問題を解決することを可能にした検査装置を提供するものである。
【課題を解決するための手段】
【０００７】
本発明は、複数の異なる機種の被検査対象を検査することが可能で、被検査対象の機種に対応して内部回路構成を切り替えるための切替手段を備える検査装置であって、切替手段の切替設定状態を検出し、検出した切替設定状態の適否を判定して検査装置での検査を許可又は停止を制御する制御手段を備えることを特徴とする。ここで、切替手段は切替設定状態の検出信号を前記制御手段に出力し、制御手段はこの検出信号に基づいて切替手段の切替設定状態を検出する。また、切替手段はそれぞれ独立して切り替えられる複数の切替手段で構成され、これら複数の切替手段からそれぞれ出力される検出信号を組み合わせてコード化した信号を制御手段に出力する構成とすることが好ましい。
【発明の効果】
【０００８】
本発明の検査装置によれば、ＰＣ等の制御手段は検査装置の切替手段の切替設定が正しい場合にのみ検査装置での検査を許可するので、切替手段の設定が誤った状態で検査装置が動作することはなく、検査装置の回路や素子が破壊されることはなく、また、検査装置から制御手段に異常な信号が出力されることもなく、検査プログラムに基づく動作における暴走や、当該検査プログラムの破壊も防止される。また、検査者が切替手段を切替設定する際の負担が軽減される。
【発明を実施するための最良の形態】
【０００９】
本発明の好ましい形態として、検査装置は検査を実行する検査端末と、制御手段としてのコンピュータと、電源と、コンピュータ及び電源と検査端末との間に介在されて切替手段が設けられたインターフェース部とで構成され、コンピュータには検査端末での検査を行う機種が設定でき、コンピュータはインターフェース部の切替手段からの切替設定状態の検出信号に基づいて当該切替手段の設定が設定された機種に対応するか否かを判定し、切替手段の設定が適切なときに検査を許可し、適切でないときに検査を停止する構成とする。本発明において、検査装置はカメラのレンズを検査する検査装置であり、検査装置の各部に供給する電源回路や信号回路をそれぞれ切り替える切替手段を備える構成とすることが好ましい。
【実施例１】
【００１０】
次に、本発明の実施例を図面を参照して説明する。本実施例はカメラのレンズを検査するレンズ検査装置に適用した実施例について説明するが、基本的な構成は従来構成と同様であるので従来技術で説明したときに参照した図１を再度参照する。前記レンズ検査装置は、被検査対象であるカメラ用のレンズＬＥＮＳをセットしてテストパターン画像を得るための検査端末ＴＴと、所定の検査プログラムに基づいてレンズ検査を実行するパソコンＰＣと、検査端末ＴＴで必要とされる複数の異なる電圧の電圧源としての電源ＰＷと、前記電源ＰＷ及びパソコンＰＣと前記検査端末ＴＴとの間に介在されて当該検査端末ＴＴに供給する電圧や信号を切り替え設定するインターフェースＩ／Ｆとを備えている。なお、通常では前記インターフェースＩ／ＦはＩ／Ｆ基板として前記検査端末ＴＴ内に内蔵されている。また、この実施例では１つのパソコンＰＣ及び電源ＰＷを１つの検査端末ＴＴに接続した構成として示しているが、１つのパソコンＰＣ及び電源ＰＷに対して複数の検査端末ＴＴをそれぞれ並列接続する構成としてもよく、その場合にも本発明を適用することは可能である。
【００１１】
図２は前記レンズ検査装置の主要部のブロック回路図である。前記検査端末ＴＴは、詳細については後述するが、セットした被検査対象のレンズによってテストパターンをＣＣＤ等の撮像素子に結像し、当該ＣＣＤで得られたテストパターン画像をデジタルデータＤＤとしてパソコンＰＣに出力する。また、前記ＣＣＤを駆動するための水平同期信号（ＨＤ）と垂直同期信号（ＶＤ）を前記インターフェースＩ／Ｆを介して前記パソコンＰＣとの間で送受する。また、検査端末ＴＴ内の回路及び撮像素子を駆動するための電圧を前記インターフェースＩ／Ｆを介して前記電源ＰＷから供給されるようになっている。
【００１２】
前記パソコンＰＣは、予め設定されたレンズの検査プログラムＰＲＧがインストールされており、前記検査端末ＴＴから出力されてくるデジタルデータＤＤと、検査端末ＴＴとの間で送受するＨＤとＶＤとに基づいて画像処理部ＶＩＤにおいてレンズの検査を実行することが可能とされている。また、前記パソコンＰＣに設けられている入出力回路部Ｉ／Ｏは、前記インターフェースＩ／Ｆに設けられた後述する切替手段の切替設定状態を検出する検出信号であるコード信号ＳＣが入力される一方で、このコード信号ＳＣに基づくスイッチ制御信号ＳＳＷを前記インターフェースＩ／Ｆに出力するように構成されており、本発明における制御手段として機能するようになっている。
【００１３】
前記電源ＰＷは前記検査端末ＴＴで必要とされる複数の電圧の基準電圧、ここでは３種の電圧＋３．３Ｖ，＋１５Ｖ，−１５Ｖを生成して出力するようになっている。
【００１４】
前記インターフェースＩ／Ｆは回路基板上に各回路素子を搭載したＩ／Ｆ基板として構成されており、前述のように前記検査端末ＴＴ内に内装されている。前記インターフェースＩ／Ｆは、前記電源ＰＷからの基準電圧に基づいて異なる電圧を生成するための３つのレギュレータを備えている。ここでは、＋３．３Ｖから＋３．０Ｖの電圧を生成可能な第１レギレータＲ１と、＋１５Ｖから＋１２Ｖの電圧を生成可能な第２レギュレータＲ２と、−１５Ｖからそれぞれ−７．５Ｖ，−６．５Ｖの各電圧を生成可能な第３及び第４のレギュレータＲ３，Ｒ４とを備えている。また、前記第１ないし第４の各レギュレータＲ１〜Ｒ４の出力側にはそれぞれ電圧を選択するための第１ないし第３のジャンパーＪＰ１〜ＪＰ３が接続されており、さらにこれら各ジャンパーの反対側には第１ないし第３の出力スイッチＳＷ１〜ＳＷ３が接続され、これら第１ないし第３の出力スイッチＳＷ１〜ＳＷ３を介して前記検査端末ＴＴへの接続が行われている。これら第１ないし第３の出力スイッチＳＷ１〜ＳＷ３は、前記パソコンＰＣの入出力回路部Ｉ／Ｏから出力されるスイッチ制御信号ＳＳＷによってオン・オフ制御されるものである。
【００１５】
前記インターフェースＩ／Ｆには、前記検査端末ＴＴから出力されるデジタルデータＤＤを前記パソコンＰＣに入力するためのデータラインＤＬが設けられる。また、前記インターフェースＩ／Ｆは前記パソコンＰＣのＶＤｉｎとＨＤｉｎをそれぞれＶＤラインＶＤＬとＨＤラインＨＤＬにより検査端末ＴＴのＶＤｉｎ／ｏｕｔとＨＤｉｎ／ｏｕｔとに接続しているが、前記ハンズフリーＰＣのＶＤｏｕｔとＶＤラインＶＤＬとの間、同じくＶＤｏｕｔとＨＤラインＨＤＬとの間にそれぞれ第４ジャンパーＪＰ４、第５ジャンパーＪＰ５が接続されている。
【００１６】
さらに、前記インターフェースＩ／Ｆには、前記第１ないし第５のジャンパーＪＰ１〜ＪＰ５から出力される電圧信号を入力し、これらの電圧信号をコード化して前記コード信号ＳＣとして前記パソコンＰＣに出力するエンコーダＥＮＣを備えている。前記エンコーダＥＮＣは、ここでは５つの電圧信号を３ビットのコード信号ＳＣとして作成する。
【００１７】
前記第１ないし第５のジャンパーＪＰ１〜ＪＰ５は、図３に示すように、２行３列構造の６つの端子Ｔ１Ｃ，Ｔ１Ｈ，Ｔ１Ｌ，Ｔ２Ｃ，Ｔ２Ｈ，Ｔ２Ｌを有してＩ／Ｆ基板１０に搭載された端子板１１と、この端子板１１に対して異なる位置に取着されるジャンパー板１２とで構成されている。前記ジャンパー板１２は行方向に互いに短絡された２行２列の短絡ピン片Ｓ１Ｒ，Ｓ１Ｌ，Ｓ２Ｒ，Ｓ２Ｌを備えており、ジャンパー板１２を端子板１１の行方向の右側位置と左側位置とに設定変更することで、各行の中央端子Ｔ１Ｃ，Ｔ２Ｃをそれぞれジャンパー板１２の短絡された短絡ピンＳ１ＲとＳ１Ｌ，Ｓ２ＲとＳ２Ｌによって右側端子Ｔ１Ｈ，Ｔ２Ｈと左側端子Ｔ１Ｌ，Ｔ２Ｌとに切り替えて短絡することができる２連の双極スイッチとして構成されている。そして、各ジャンパーＪＰ１〜ＪＰ５は、端子Ｔ１Ｃ，Ｔ１Ｈ，Ｔ１ＬはインターフェースＩ／Ｆ内の各回路を切り替え設定するための回路切替部として構成され、端子Ｔ２Ｃ，Ｔ２Ｈ，Ｔ２Ｌはこれら各回路切替部での設定状態を検出するための設定検出部として構成されている。
【００１８】
前記第１ないし第５の全てのジャンパーＪＰ１〜ＪＰ５において、設定検出部としての左側端子Ｔ２ＬはＧＮＤに接続され、右側端子Ｔ２Ｈは＋５Ｖ電源に接続されている。また、中央端子Ｔ２Ｃは前記エンコーダＥＮＣに接続され、この中央端子Ｔ２Ｃの出力を前記電圧信号として当該エンコーダＥＮＣ出力するようになっている。したがって、図４（ａ）のように、ジャンパー板１２を端子板１１の左位置に設定すると中央端子Ｔ２Ｃは＋５Ｖ電源に接続され、エンコーダＥＮＣには高レベル信号「Ｈ」として＋５Ｖが出力される。また、図４（ｂ）のように、ジャンパー板１２を端子板１１の右側位置に設定すると中央端子Ｔ２ＣはＧＮＤに接続され、エンコーダＥＮＣには低レベル信号「Ｌ」としてＧＮＤ電位、すなわち０Ｖが出力される。そのため、以降の説明では各ジャンパーの右側位置をＨ位置と称し、左側位置をＬ位置と称する。
【００１９】
また、これと同時に各ジャンパーＪＰ１〜ＪＰ５の回路切替部としての中央端子Ｔ１Ｃは、ジャンパー板１２のＬ位置では端子Ｔ１Ｌに接続され、Ｈ位置では端子Ｔ１Ｈに接続されることになる。
【００２０】
その上で、図２に示したように、第１及び第２の各ジャンパーＪＰ１，ＪＰ１においては、回路切替部としての中央端子Ｔ１Ｃはそれぞれ対応する第１又は第２の出力スイッチＳＷ１，ＳＷ２に接続され、左側端子Ｔ１Ｌは対応する第１又は第２のレギュレータＲ１，Ｒ２の出力に、右側端子Ｔ１Ｈは第１又は第２のレギュレータＲ１，Ｒ２の入力に接続されている。したがって、第１ジャンパーＪＰ１では、ジャンパー板１２をＨ位置に設定すると第１出力スイッチＳＷ１に第１レギュレータＲ１の出力電圧である＋３．０Ｖが出力され、ジャンパー板１２をＬ位置に設定すると第１出力スイッチＳＷ１には第１レギュレータＲ１の入力電圧である＋３．３Ｖが出力されることになる。同様に、第２ジャンパーＪＰ２では、ジャンパー板１２をＨ位置に設定すると第２出力スイッチＳＷ２に第２レギュレータＲ２の入力電圧である＋１５Ｖが出力され、ジャンパー板１２をＬ位置に設定すると第２出力スイッチＳＷ２には第２レギュレータＲ２の出力電圧である＋１２Ｖが出力されることになる。
【００２１】
また、第３ジャンパーＪＰ３では、回路切替部としての中央端子Ｔ１Ｃは第３出力スイッチＳＷ３に接続され、左側端子Ｔ１Ｌは第３レギュレータＲ３の出力に、右側端子Ｔ１Ｈは第４レギュレータＲ４の出力にそれぞれ接続されている。ジャンパー板１２をＨ位置に設定すると第３出力スイッチＳＷ３に第３レギュレータＲ３の出力電圧である−７．５Ｖが出力され、ジャンパー板１２をＬ位置に設定すると第３出力スイッチＳＷ３には第４レギュレータＲ４の出力電圧である−６．５Ｖが出力されることになる。
【００２２】
前記第１ないし第３の出力スイッチＳＷ１〜ＳＷ３は前記パソコンＰＣからのスイッチ制御信号ＳＳＷによりオン・オフ制御され、オンされたときには前記第１ないし第３のジャンパーＪＰ１〜ＪＰ３でそれぞれ選択された各電圧を第１電圧Ｖ１、第２電圧Ｖ２、第３電圧Ｖ３として前記検査端末ＴＴに供給する。
【００２３】
一方、第４ジャンパーＪＰ４においては、回路切替部としての中央端子Ｔ１ＣはＶＤラインＶＤＬに接続され、左側端子Ｔ１Ｌは前記パソコンＰＣのＶＤｏｕｔに接続され、右側端子Ｔ１Ｈはフローティングになっている。したがって、第４ジャンパーＪＰ４では、ジャンパー板１２をＬ位置に設定するとＶＤｏｕｔがＶＤラインＶＤＬに接続される。また、第５ジャンパーＪＰ５においては、上回路切替部の中央端子Ｔ１ＣはＨＤラインＨＤＬに接続され、左側端子Ｔ１Ｌは前記パソコンＰＣのＨＤｏｕｔに接続され、右側端子Ｔ１Ｈはフローティングになっている。したがって、第５ジャンパーＪＰ５では、ジャンパー板１２をＬ位置に設定するとＨＤｏｕｔがＨＤラインＨＤＬに接続される。
【００２４】
図５は前記検査端末ＴＴの内部構成を示すブロック回路図である。検査端末ＴＴにセットされた検査対象のレンズによりテストパターンを結像し、結像したテストパターン画像を電気信号に変換するための撮像素子、ここではＣＣＤ（電荷転送素子）２１と、このＣＣＤ２１で撮像したテストパターン画像信号をデジタルデータＤＤに変換するためのＡＦＥ（アナログフロントエンド）２２と、前記ＶＤ信号とＨＤ信号から前記ＣＣＤ２１を駆動するためのＶ系駆動信号及びＨ系駆動信号を生成するとともに、前記ＡＦＥ２２を駆動するための高速系駆動信号を生成するＴＧ（タイミングジェネレータ）２３と、前記Ｖ系駆動信号を制御するためのＶドライバ２４とを備えている。
【００２５】
そして、前記第１電圧Ｖ１は前記ＡＦＥ２２、ＴＧ２３、Ｖドライバ２４にそれぞれ供給されるように前記インターフェースＩ／Ｆに接続され、前記第２電圧Ｖ２と第３電圧Ｖ３は前記Ｖドライバ２４とＣＣＤ２１に供給されるように前記インターフェースＩ／Ｆに接続されている。また、前記ＴＧ２３は前記インターフェースＩ／ＦのＶＤラインＶＤＬとＨＤラインＨＤＬに接続され、前記ＡＦＥ２２の出力は前記インターフェースＩ／ＦのデータラインＤＬに接続されている。
【００２６】
以上の構成において、前記第１ないし第５のジャンパーＪＰ１〜ＪＰ５は、検査するレンズの機種に応じて予め決められている。例えば、図６は異なるレンズの機種Ａ，Ｂ，Ｃ，Ｄを検査する際の各ジャンパーの設定状態を示す図である。機種Ａの場合には、検査者は次のように各ジャンパーを設定する。第１ジャンパーＪＰ１は第１電圧Ｖ１として＋３．３Ｖを出力すべくジャンパー板１２をＬ位置に設定する。第２ジャンパーＪＰ２は第２電圧Ｖ２として＋１５Ｖを出力すべくジャンパー板１２をＨ位置に設定する。第３ジャンパーＪＰ３は第３電圧Ｖ３として−７．５Ｖを出力すべくジャンパー板１２をＨ位置に設定する。第４ジャンパーＪＰ４はＶＤｏｕｔをＶＤラインＶＤＬに接続すべくジャンパー板１２をＬ位置に設定する。第５ジャンパーＪＰ５はＨＤｏｕｔをＨＤラインＨＤＬに接続すべくジャンパー板１２をＬ位置に設定する。
【００２７】
すなわち、機種Ａの場合には、検査端末ＴＴのＡＦＥ２２、ＴＧ２３、Ｖドライバ２４に第１電圧Ｖ１＝＋３．３Ｖを供給し、Ｖドライバ２４とＣＣＤ２１に第２電圧Ｖ２＝＋１５Ｖを、第３電圧Ｖ３＝−７．５Ｖをそれぞれ供給して検査端末ＴＴを駆動し、機種Ａのレンズの検査を実行可能とする。また、これと同時に第４及び第５ジャンパーＪＰ４，ＪＰ５の設定によりパソコンＰＣからのＶＤ信号とＨＤ信号をＴＧ２３に供給し、これらＶＤ信号とＨＤ信号に同期したＶ系駆動信号、Ｈ系駆動信号及び高速系駆動信号を生成し、これらをＣＣＤ２１及びＡＦＥ２２に供給し、ＣＣＤ２１から転送されてくるテストパターン画像のアナログ信号をパソコンＰＣのＶＤ信号とＨＤ信号に同期したデジタルデータＤＤとしてパソコンＰＣに送出する。
【００２８】
一方、機種Ｄの場合には、検査者は次のように各ジャンパーを設定する。第１ジャンパーＪＰ１は第１電圧Ｖ１として＋３．０Ｖを出力すべくジャンパー板１２をＨ位置に設定する。第２ジャンパーＪＰ２は第２電圧Ｖ２として＋１５Ｖを出力すべくジャンパー板１２をＨ位置に設定する。第３ジャンパーＪＰ３は第３電圧Ｖ３として−７．５Ｖを出力すべくジャンパー板１２をＨ位置に設定する。第４ジャンパーＪＰ４はＶＤｏｕｔをＶＤラインＶＤＬに対して非接続（断）とすべくジャンパー板１２をＨ位置に設定する。第５ジャンパーではＨＤｏｕｔをＨＤラインＨＤＬに対して非接続（断）とすべくジャンパー板１２をＨ位置に設定する。
【００２９】
すなわち、機種Ｄの場合には、検査端末ＴＴのＡＦＥ２２、ＴＧ２３、Ｖドライバ２４に第１電圧Ｖ１＝＋３．０Ｖを供給し、Ｖドライバ２４とＣＣＤ２１に第２電圧Ｖ２＝＋１５Ｖを、第３電圧Ｖ３＝−７．５Ｖをそれぞれ供給して検査端末ＴＴを駆動し、機種Ｄのレンズの検査を実行可能とする。また、これと同時に第４及び第５ジャンパーＪＰ４，ＪＰ５の設定によりパソコンＰＣからのＶＤ信号とＨＤ信号はＶＤラインとＨＤラインには接続しない。この場合には、ＴＧ２３において独自のＶＤ信号とＨＤ信号を生成し、これに基づいてＶ系駆動信号、Ｈ系駆動信号及び高速系駆動信号を生成し、これをＣＣＤ２１及びＡＦＥ２２に供給してＣＣＤから転送されてくるアナログ信号をデジタルデータＤＤとして生成してパソコンＰＣに出力すると同時に、生成したＶＤ信号とＨＤ信号をパソコンＰＣにも供給し、パソコンＰＣにおいて当該ＶＤ信号とＨＤ信号に同期したデジタルデータＤＤの処理、すなわち検査を実行する。
【００３０】
なお、説明は省略するが機種Ｂ，Ｃについても各ジャンパーの設定に基づいて第１ないし第３電圧とＶＤ信号及びＨＤ信号の切り替え設定が実行される。
【００３１】
そして、パソコンＰＣにおいては、機種Ａ，Ｂの場合には、パソコンＰＣ自身のＶＤ信号とＨＤ信号に同期して、また機種Ｃ，Ｄの場合にはＴＧ２３からのＶＤ信号とＨＤ信号に同期して、それぞれ検査端末ＴＴから送られてくるデシタルデータＤＤを各機種に対応する検査プログラムに基づいて処理し、検査対象の機種Ａ〜Ｄのレンズの検査を実行する。
【００３２】
以上のようにして検査を実行するが、前述のように検査前の設定として第１ないし第５の各ジャンパーＪＰ１〜ＪＰ５を設定すると、各ジャンパーの設定検出部の中央端子Ｔ１Ｃからはそれぞれ図６に示したように、ＧＮＤレベルの０Ｖの「Ｌ」信号と、＋５Ｖの「Ｈ」信号が出力される。図６では、各ジャンパーのＨ位置とＬ位置がそのまま各ジャンパーから出力される信号「Ｈ」，「Ｌ」に対応する。そして、エンコーダＥＮＣでは、これら「Ｌ」，「Ｈ」の各信号の組み合わせに対応する２進数のコード信号を予め設定しておき、入力された電圧信号の組み合わせに対応して３ビットのコード信号をＰＣに出力する。なお、通常のエンコーダでは、入力される複数の信号レベルに対して重み付けを行うことでコード信号を得るようにしているが、この実施例のように、機種に対応する第１ないし第５のジャンパーの設定状態がある程度限定されている場合には、同図に示したように、機種Ａの場合には「０１０」、機種Ｂの場合には「０００」、機種Ｃの場合には「１０１」、機種Ｄの場合には「１１１」のように、予め複数のコードの組み合わせを用意しておき、これらのコードを選択するようにしている。
【００３３】
以上の構成のレンズ検査装置における検査手法を説明する。全体のフローは図７にフローチャートを示すように、検査するレンズの機種に基づいて検査者は手操作により検査端末ＴＴのインターフェースＩ／Ｆの第１ないし第５のジャンパーＪＰ１〜ＪＰ５を設定する（Ｓ１０１）。また、同時に検査者は当該レンズの機種をパソコンＰＣに設定する（Ｓ１０２）。この機種の設定によりパソコンＰＣには当該機種に対応するコードが読み出される。設定が行われた各ジャンパーからの電圧信号はエンコーダＥＮＣに入力され、エンコーダＥＮＣからは図６に示したコード信号が出力され、インターフェースＩ／Ｆから入出力回路部Ｉ／Ｏを通してパソコンＰＣに入力される。パソコンＰＣはこの入力されたコード信号のコードを読み取り、読み取ったコードをステップＳ１０２で読み出された機種に対応するコードとを比較し（Ｓ１０３）、両者が一致するか否かを判定する（Ｓ１０４）。
【００３４】
比較の結果、両者が一致しない場合には、第１ないし第５のジャンパーＪＰ１〜ＪＰ５の少なくとも１つが正しく設定されていないものと判定し、第１ないし第３出力スイッチＳＷ１〜ＳＷ３を全てオフにする（Ｓ１０５）。これにより、第１ないし第３のジャンパーＪＰ１〜ＪＰ３で設定された第１ないし第３電圧Ｖ１〜Ｖ３がそれぞれ検査端末ＴＴに供給されなくなり、検査端末ＴＴにおける検査の実行が停止されると同時に、パソコンＰＣでは検査プログラムの実行を停止状態とする（Ｓ１０６）。さらに、パソコンＰＣのディスプレイにエラー表示を行う（Ｓ１０７）。このとき、一致しないコードの値からいずれのジャンパーの設定に誤りがあるかを表示することも可能である。したがって、検査者はエラー表示を確認し、エラー対象のジャンパーを設定し直すことになる。
【００３５】
ステップＳ１０４において両者が一致していると判定したときには第１ないし第５のジャンパーＪＰ１〜ＪＰ５が正しく設定されたものと判定し、第１ないし第３出力スイッチＳＷ１〜ＳＷ３をオンにする（Ｓ１０８）。これにより、第１ないし第３のジャンパーＪＰ１〜ＪＰ３で設定された第１ないし第３電圧Ｖ１〜Ｖ３がそれぞれ第１ないし第３出力スイッチＳＷ１〜ＳＷ３を通して検査端末ＴＴに供給される。同時にＶＤラインＶＤＬとＨＤラインＨＤＬに対するパソコンＰＣとの接続状態が設定されるので、パソコンＰＣは検査プログラムをスタートさせる（Ｓ１０９）。これにより、検査端末ＴＴにおけるレンズの適正な検査が実行される（Ｓ１１０）。なお、ステップＳ１０７において第１ないし第５のジャンパーの設定が誤っていたことをエラー表示で確認した後にエラー対象のジャンパーを設定し直した場合には、次のループのステップＳ１０４においてコードの一致を判定でき、検査の実行が可能になる。
【００３６】
したがって、本実施例の検査装置では、ジャンパーの切り替え設定を誤った状態で検査端末が動作することがないので、検査端末ＴＴの回路や素子が破壊されることがなく、また、検査端末ＴＴからパソコンＰＣに異常な信号が出力されることもなく、パソコンＰＣにおける暴走や、当該検査プログラムの破壊が防止される。そのため、検査者が行うインターフェースＩ／Ｆにおける切替スイッチの切り替えやジャンパー設定の変更に際しての負担が軽減される。
【００３７】
前記実施例では本発明における切替手段として二連双極構造のジャンパーを用いた例を示しているが、手操作によって回路を切り替える手段であれば、切替手段を二連双極スイッチ、例えば二連双極型のディップスイッチで構成した検査手段にも同様に適用することが可能である。
【００３８】
前記実施例では複数の切替手段の設定状態を検出する検出信号をエンコーダによりコード化してパソコンＰＣに出力しているが、各切替手段の検出信号をそのままパソコンＰＣに出力し、パソコンＰＣにおいて各ジャンパーの切替設定状態を検出して適否を判定するように構成してもよい。ただし、このようにした場合には切替手段の数が多くなるとインターフェースＩ／ＦとパソコンＰＣとを接続する配線数が切替手段の数だけ必要になるが、実施例のようにコード化することでインターフェースＩ／ＦとパソコンＰＣを接続する配線数、すなわちパソコンＰＣのポート数を低減することができる利点がある。
【００３９】
また、前記実施例ではインターフェースＩ／Ｆにレギュレータを設け、このレギュレータにおいて電源ＰＷから供給される電圧から検査端末で必要とされる多くの電圧を生成しているが、レギュレータを電源に内蔵してこれらの電圧を生成するようにし、その一方でインターフェースＩ／Ｆは単にこれら電圧を切り替えて選択するように構成してもよい。ただし、本実施例のようにインターフェースＩ／Ｆにレギュレータを設けて必要な電圧を生成するようにすれば、実施例とは異なる電圧を使用する検査端末を用いて検査装置を構築する場合に、汎用型の電源をそのまま利用できる点で有利になる。
【図面の簡単な説明】
【００４０】
【図１】本発明にかかる検査装置の概念構成図である。
【図２】本発明の検査装置のブロック構成図である。
【図３】ジャンパーの構成を説明するための概略構成図である。
【図４】ジャンパーの切替と切替状態の信号を説明するための図である。
【図５】検査端末の内部構成のブロック回路図である。
【図６】ジャンパーとその切替位置及び電圧信号とコード信号の関係を示す図である。
【図７】本発明の検査装置の検査フローを示すフローチャートである。
【符号の説明】
【００４１】
１０  Ｉ／Ｆ基板
１１  端子板
１２  ジャンパー板
２１  ＣＣＤ
２２  ＡＦＥ
２３  ＴＧ
２４  Ｖドライバ
ＰＣ  パソコン
ＴＴ  検査端末
ＰＷ  電源
Ｉ／Ｆ  インターフェース
ＪＰ１〜ＪＰ５  ジャンパー
Ｒ１〜Ｒ４  レギュレータ
ＳＷ１〜ＳＷ３  出力スイッチ
ＥＮＣ  エンコーダ
【図１】
2005308466.tif 000003
【図２】
2005308466.tif 000004
【図３】
2005308466.tif 000005
【図４】
2005308466.tif 000006
【図５】
2005308466.tif 000007
【図６】
2005308466.tif 000008
【図７】
2005308466.tif 000009
【手続補正書】
【提出日】平成16年4月20日(2004.4.20)
【手続補正１】
【補正対象書類名】明細書
【補正対象項目名】００１３
【補正方法】変更
【補正の内容】
【００１３】
前記電源ＰＷは前記検査端末ＴＴで必要とされる複数の電圧の基準電圧、ここでは３種の電圧＋５Ｖ，＋１５Ｖ，−１５Ｖを生成して出力するようになっている。
【手続補正２】
【補正対象書類名】明細書
【補正対象項目名】００１４
【補正方法】変更
【補正の内容】
【００１４】
前記インターフェースＩ／Ｆは回路基板上に各回路素子を搭載したＩ／Ｆ基板として構成されており、前述のように前記検査端末ＴＴ内に内装されている。前記インターフェースＩ／Ｆは、前記電源ＰＷからの基準電圧に基づいて異なる電圧を生成するための３つのレギュレータを備えている。ここでは、＋５Ｖから＋３．０Ｖの電圧を生成可能な第１レギレータＲ１と、＋５Ｖから＋３．３Ｖの電圧を生成可能な第２レギュレータＲ２と、＋１５Ｖから＋１２Ｖの電圧を生成可能な第３レギュレータＲ３と、−１５Ｖからそれぞれ−７．５Ｖ，−６．５Ｖの各電圧を生成可能な第４及び第５のレギュレータＲ４，Ｒ５とを備えている。また、前記第１ないし第５の各レギュレータＲ１〜Ｒ５の出力側にはそれぞれ電圧を選択するための第１ないし第３のジャンパーＪＰ１〜ＪＰ３が接続されており、さらにこれら各ジャンパーの反対側には第１ないし第３の出力スイッチＳＷ１〜ＳＷ３が接続され、これら第１ないし第３の出力スイッチＳＷ１〜ＳＷ３を介して前記検査端末ＴＴへの接続が行われている。これら第１ないし第３の出力スイッチＳＷ１〜ＳＷ３は、前記パソコンＰＣの入出力回路部Ｉ／Ｏから出力されるスイッチ制御信号ＳＳＷによってオン・オフ制御されるものである。
【手続補正３】
【補正対象書類名】明細書
【補正対象項目名】００２０
【補正方法】変更
【補正の内容】
【００２０】
その上で、図２に示したように、第１及び第２の各ジャンパーＪＰ１，ＪＰ２においては、回路切替部としての中央端子Ｔ１Ｃはそれぞれ対応する第１又は第２の出力スイッチＳＷ１，ＳＷ２に接続される。そして、第１ジャンパーＪＰ１では右側端子Ｔ１Ｈは第１レギュレータＲ１の出力に、左側端子Ｔ１Ｌは第２レギュレータＲ２の出力に接続される。第２ジャンパーＪＰ２では、右側端子Ｔ１Ｈは第３レギュレータＲ３の入力に、左側端子Ｔ１Ｌは第３レギュレータＲ３の出力に接続されている。したがって、第１ジャンパーＪＰ１では、ジャンパー板１２をＨ位置に設定すると第１出力スイッチＳＷ１に第１レギュレータＲ１の出力電圧である＋３．０Ｖが出力され、ジャンパー板１２をＬ位置に設定すると第１出力スイッチＳＷ１には第２レギュレータＲ２の出力電圧である＋３．３Ｖが出力されることになる。同様に、第２ジャンパーＪＰ２では、ジャンパー板１２をＨ位置に設定すると第２出力スイッチＳＷ２に第３レギュレータＲ３の入力電圧である＋１５Ｖが出力され、ジャンパー板１２をＬ位置に設定すると第２出力スイッチＳＷ２には第３レギュレータＲ３の出力電圧である＋１２Ｖが出力されることになる。
【手続補正４】
【補正対象書類名】明細書
【補正対象項目名】００２１
【補正方法】変更
【補正の内容】
【００２１】
また、第３ジャンパーＪＰ３では、回路切替部としての中央端子Ｔ１Ｃは第３出力スイッチＳＷ３に接続され、右側端子Ｔ１Ｈは第４レギュレータＲ４の出力に、左側端子Ｔ１Ｌは第５レギュレータＲ５の出力にそれぞれ接続されている。ジャンパー板１２をＨ位置に設定すると第３出力スイッチＳＷ３に第４レギュレータＲ４の出力電圧である−７．５Ｖが出力され、ジャンパー板１２をＬ位置に設定すると第３出力スイッチＳＷ３には第５レギュレータＲ５の出力電圧である−６．５Ｖが出力されることになる。
【手続補正５】
【補正対象書類名】明細書
【補正対象項目名】００４１
【補正方法】変更
【補正の内容】
【００４１】
１０  Ｉ／Ｆ基板
１１  端子板
１２  ジャンパー板
２１  ＣＣＤ
２２  ＡＦＥ
２３  ＴＧ
２４  Ｖドライバ
ＰＣ  パソコン
ＴＴ  検査端末
ＰＷ  電源
Ｉ／Ｆ  インターフェース
ＪＰ１〜ＪＰ５  ジャンパー
Ｒ１〜Ｒ５  レギュレータ
ＳＷ１〜ＳＷ３  出力スイッチ
ＥＮＣ  エンコーダ
【手続補正６】
【補正対象書類名】図面
【補正対象項目名】図２
【補正方法】変更
【補正の内容】
【図２】
2005308466.tif 000010
【手続補正書】
【提出日】平成17年1月24日(2005.1.24)
【手続補正１】
【補正対象書類名】明細書
【補正対象項目名】００１８
【補正方法】変更
【補正の内容】
【００１８】
前記第１ないし第５の全てのジャンパーＪＰ１〜ＪＰ５において、設定検出部としての左側端子Ｔ２ＬはＧＮＤに接続され、右側端子Ｔ２Ｈは＋５Ｖ電源に接続されている。また、中央端子Ｔ２Ｃは前記エンコーダＥＮＣに接続され、この中央端子Ｔ２Ｃの出力を前記電圧信号として当該エンコーダＥＮＣ出力するようになっている。したがって、図４（ａ）のように、ジャンパー板１２を端子板１１の右位置に設定すると中央端子Ｔ２Ｃは＋５Ｖ電源に接続され、エンコーダＥＮＣには高レベル信号「Ｈ」として＋５Ｖが出力される。また、図４（ｂ）のように、ジャンパー板１２を端子板１１の左側位置に設定すると中央端子Ｔ２ＣはＧＮＤに接続され、エンコーダＥＮＣには低レベル信号「Ｌ」としてＧＮＤ電位、すなわち０Ｖが出力される。そのため、以降の説明では各ジャンパーの右側位置をＨ位置と称し、左側位置をＬ位置と称する。
【手続補正２】
【補正対象書類名】図面
【補正対象項目名】図４
【補正方法】変更
【補正の内容】
【図４】
2005308466.tif 000011